(57)【要約】【課題】  傾斜天井に取付けた際に器具直下方向に光を照射し、傾斜天井の角度にフレキシブルに対応可能で、かつ眩しさを抑え、外観も損なわない照明器具を提供する。【解決手段】  枠体１が下開口部４と上開口部５を両端とした筒状であって傾斜天井７の埋込穴２１に挿入される。灯具２は、枠体１の上方に一定間隔をおいて位置するランプ１０を有しランプ１０を傾斜天井７の傾斜方向を含む垂直面内で回動可能に保持する軸１３を有し軸１３が上開口部５の付近に位置する。器具本体３は傾斜天井７に取付けられて枠体１および軸１３を保持する。そして枠体１は下開口部４よりも上開口部５が小さく、上開口部５から下開口部４にかけて広がる形状を有し、かつ、上開口部５が下開口部４に対して傾斜しその傾く方向が傾斜天井７が水平面に対して傾く方向と反対である。【選択図】        図１
2006236660.tif 000002
【特許請求の範囲】
【請求項１】
下開口部と上開口部を両端とした筒状であって傾斜天井の埋込穴に挿入される枠体と、前記枠体の上方に一定間隔をおいて位置する発光部を有し前記発光部を前記傾斜天井の傾斜方向を含む垂直面内で回動可能に保持する軸を有し前記軸が前記上開口部の付近に位置する灯具と、前記傾斜天井に取付けられて前記枠体および前記軸を保持する器具本体とを備え、
前記枠体は前記下開口部よりも前記上開口部が小さく、前記上開口部から前記下開口部にかけて広がる形状を有し、かつ、前記上開口部が前記下開口部に対して傾斜しその傾く方向が前記傾斜天井が水平面に対して傾く方向と反対である照明器具。  
【請求項２】
前記枠体が略円錐台形状である請求項１記載の照明器具。
【請求項３】
前記上開口部および前記下開口部が真円である請求項１記載の照明器具。
【請求項４】
前記軸が前記上開口部の開口面と同一面に位置する請求項１記載の照明器具。  
【請求項５】
前記発光部と前記枠体との間に筒状のカバーを有する請求項１記載の照明器具。
【請求項６】
前記灯具の上方を覆う天板を有する請求項１記載の照明器具。
【発明の詳細な説明】
【技術分野】
【０００１】
この発明は、ダウンライトなどの傾斜天井用埋め込み型の照明器具に関するものである。
【背景技術】
【０００２】
従来のこの種の照明器具においては、（１）器具直下方向が照射されること、（２）まぶしさを抑えること、（３）傾斜天井の角度にフレキシブルに対応すること、といった課題があった。  
【０００３】
上記（１）の課題を解決するため、第１の従来例は、図９に示すように反射板１００の形状を異形にして光源１０１からの光をできるだけ器具直下に反射させるようにしていた。
【０００４】
しかしながら、第１の従来例では傾斜天井の角度が変わった場合、直下配光を満足することができず、反射板の形状を変える必要がある。また、ランプ位置が反射板の開口部に近いため、眩しさを感じやすい。
【０００５】
上記（２）の課題を解決するため第２の従来例（例えば特許文献１参照）は、天井に埋設された灯具の下方に前面パネルを傾動可能に配置している。第２の従来例によれば、前面パネルにより眩しさを抑えることは可能であるが、直下方向への配光を満足することができず、特別な反射板が必要となった。また第２の従来例で上記（３）の課題を解決するためには反射板の形状変更が必要であった。
【０００６】
上記（３）の課題を解決するため第３の従来例（例えば特許文献２参照）は、傾斜天井の埋め込み穴に灯具を回動自在に配置している。しかしながら、灯具と埋め込み穴に設けた枠との間に隙間が生じ、外観が悪い。
【０００７】
上記（３）の課題を解決するため第４の従来例（例えば特許文献３参照）は、傾斜天井に取付けられる筒状の枠体に回動可能に灯具を取付けている。しかしながら、この照明器具は眩しさを抑えることが困難であった。  
【特許文献１】特開２００２−２５１９１３
【特許文献２】実開平５−２７９１２号公報
【特許文献３】実開平６−３１０２１号公報
【発明の開示】
【発明が解決しようとする課題】
【０００８】
したがって、この発明の目的は、傾斜天井に取付けた際に器具直下方向に光を照射し、傾斜天井の角度にフレキシブルに対応可能で、かつ眩しさを抑え、外観も損なわない照明器具を提供することである。
【課題を解決するための手段】
【０００９】
この発明の照明器具は、枠体が下開口部と上開口部を両端とした筒状であって傾斜天井の埋込穴に挿入される。灯具は、前記枠体の上方に一定間隔をおいて位置する発光部を有し前記発光部を前記傾斜天井の傾斜方向を含む垂直面内で回動可能に保持する軸を有し前記軸が前記上開口部の付近に位置する。器具本体は前記傾斜天井に取付けられて前記枠体および前記軸を保持する。そして前記枠体は前記下開口部よりも前記上開口部が小さく、前記上開口部から前記下開口部にかけて広がる形状を有し、かつ、前記上開口部が前記下開口部に対して傾斜しその傾く方向が前記傾斜天井が水平面に対して傾く方向と反対である。  
【００１０】
上記構成において、前記枠体が略円錐台形状である。
【００１１】
上記構成において、前記上開口部および前記下開口部が真円である。
【００１２】
上記構成において、前記軸が前記上開口部の開口面と同一面に位置する。  
【００１３】
上記構成において、前記発光部と前記枠体との間に筒状のカバーを有する。
【００１４】
上記構成において、前記灯具の上方を覆う天板を有する。
【発明の効果】
【００１５】
この発明の照明器具によれば、傾斜天井に埋め込んで使用する照明器具において、灯具が回動可能であるため、天井の傾斜角度を問わず器具直下方向の配光を達成することができ、枠体と灯具とが一定の間隔をおいているため、眩しさを低減することが可能であり、しかも枠体の上方に灯具があるため従来のように外観を損なわない。
【００１６】
枠体を円錐形状とすると、枠体の加工性が容易となりコストダウンを図れる。
【００１７】
枠体の開口部をともに真円とすると、外観品質の向上が図れる。
【００１８】
軸の位置を上開口部と同一面に配置すると、灯具の可動範囲、上開口部の大きさについて最適な設定が可能となり、器具サイズの低減、外観品質の向上が図れる。
【００１９】
発光部と枠体の間にカバーを設けることで、器具内部部品を遮蔽することができ外観品質の向上が図れる。
【００２０】
灯具上方を覆う天板を配置することで天井裏に施工された断熱材が灯具の可動を阻害することを防止することができる。天板はとくに灯具上方投影面を覆うことが好ましい。
【発明を実施するための最良の形態】
【００２１】
この発明の第１の実施の形態を図１から図４により説明する。すなわち、この照明器具は、枠体１と、灯具２と、器具本体３とを有する。
【００２２】
枠体１は、下開口部４と上開口部５とを有する筒状体であり、内周面を反射面としている。この場合、上開口部５は下開口部４より小さく傾斜天井７の傾く方向と反対向きに一定の角度傾斜している。全体形状は、上開口部５から下開口部４にかけて広がる形状を有し、例えば略円錐台形状としている。また上開口部５および下開口部４は真円が好ましい。この枠体１は、下開口部４の縁部の外周につば６を形成し、傾斜天井７の埋込穴２１に挿入され、つば６が傾斜天井７の下面に係止される。枠体１には後述の枠取付ばね８を受ける係止部３２を有する。
【００２３】
灯具２は、ランプソケット９と、ランプソケット９に装着された発光部となるランプ１０と、ランプソケット９の保持するソケット台１１と、ソケット台１１を中間部で保持する逆Ｕ字形であって、両端がランプ１０の両側に延長したアーム１２と、アーム１２の両端に固定された可動軸１３とを有する。ランプ１０はダイクロビーム電球を用い、別部品による配光制御なしに適切な直下配光を確保することを可能としている。可動軸１３は上開口部５の付近、好ましくは上開口部５の開口面と同一面に配置されて傾斜天井７の傾斜方向を含む垂直面内でランプ１０が回動可能となるように水平方向に配置されている。灯具２のランプ１０と枠体１との間には一定の間隔を設け、その位置に筒状のカバー２０を配置し、灯具２の前側に取付けている。
【００２４】
器具本体３は、枠体１のつば６の上に配置される補助枠１４と、補助枠１４に立設された一対の支柱１５と、一対の支柱１５の上端部に取付けられた天板１６とを有する。
【００２５】
補助枠１４は枠取付ばね８の基端部を取付け、先端の屈曲部を係止部３２に係止して枠体１を保持している。可動軸１３は補助枠１４の取付片２２に取付けられ、ナット２３によって取付片２２に締めつけ固定されている。この結果、ナット２３を緩めることによって灯具２は可動軸１３の回りに回動可能となる。
【００２６】
支柱１５にはスリット１７があり、スリット１７より外部に取付具１８を突出し、取付具１８の先端を傾斜天井７の裏面に係止して、補助枠１４を傾斜天井７の下面に係止した状態で器具本体３を傾斜天井７板に取付けている。器具本体３が傾斜天井７に取付けられることによって枠体１が傾斜天井７の埋込穴２１内に挿入状態に保持される。２５は天板１６の延出方向と反対側を遮蔽する遮蔽板である。
【００２７】
天板１６は灯具２の上方を覆い、とくに灯具上方投影面を覆う形状としている。天板１６の端部に端子台２７を有し、天板１６の端部の下面にサーマルプロテクタ２８を有する。
【００２８】
図５は水平面に対する傾斜角度が１５度の傾斜天井７に第１の実施の形態の照明器具を施工した状態である。この場合、灯具２が垂直姿勢となるように回動する。
【００２９】
図６は水平面に対する傾斜角度が３５度の傾斜天井７に第１の実施の形態の照明器具を施工した状態である。この場合も、灯具２が垂直姿勢となるように回動する。
【００３０】
この発明の第２の実施の形態を図７に示す。この照明器具は、枠体１がつば６のある枠部１ａと反射板部１ｂとに分離した構造である。枠部１ａの上端部に内向きのつば３０を有し、反射板部１ｂの下端部につば３０に係止する外つば３１を有し、反射板部１ｂを枠取付ばね８で保持している。
【００３１】
この発明の第３の実施の形態を図８に示す。この照明器具は、枠体１が角形の例を示している。
【図面の簡単な説明】
【００３２】
【図１】この発明の第１の実施の形態の傾斜天井施工状態の断面図である。
【図２】枠体の断面図である。
【図３】照明器具を上方からみた斜視図である。
【図４】照明器具を下方からみた斜視図である。
【図５】傾斜角１５度の傾斜天井施工状態の断面図である。
【図６】傾斜角３５度の傾斜天井施工状態の断面図である。
【図７】第２の実施の形態の傾斜天井施工状態の断面図である。
【図８】第３の実施の形態の下方からみた斜視図である。
【図９】第１の従来例の断面図である。
【符号の説明】
【００３３】
１  枠体  
２  灯具  
３  器具本体  
４  下開口部  
５  上開口部
７  傾斜天井      
１３  軸
２０  カバー
１６  天板  
２１  埋込穴
【図１】
2006236660.tif 000003
【図２】
2006236660.tif 000004
【図３】
2006236660.tif 000005
【図４】
2006236660.tif 000006
【図５】
2006236660.tif 000007
【図６】
2006236660.tif 000008
【図７】
2006236660.tif 000009
【図８】
2006236660.tif 000010
【図９】
2006236660.tif 000011